【手続補正書】
【提出日】平成28年3月25日(2016.3.25)
【手続補正１】
【補正対象書類名】特許請求の範囲
【補正対象項目名】全文
【補正方法】変更
【補正の内容】
【特許請求の範囲】
【請求項１】
第１光電変換部および第２光電変換部を有する受光画素と第３光電変換部および第４光電変換部を有する遮光画素とを含む画素アレイと、前記画素アレイからの信号を処理する処理部とを備える固体撮像装置であって、
前記処理部は、
前記第１光電変換部、前記第２光電変換部、前記第３光電変換部および前記第４光電変換部の電荷に応じた信号を出力する信号出力期間において、
（ａ）前記第１光電変換部の電荷に応じた信号、（ｂ）前記第１光電変換部の電荷と前記第２光電変換部の電荷とを加算した電荷に応じた信号、および、（ｃ）前記第３光電変換部の電荷と前記第４光電変換部の電荷とを加算した電荷に応じた信号を出力し、
（ｄ）前記第３光電変換部の電荷に応じた信号および前記第４光電変換部の電荷に応じた信号を出力しない、
ことを特徴とする固体撮像装置。
【請求項２】
前記処理部は、
第１期間において、（ａ）前記第１光電変換部の電荷に応じた第１信号、（ｂ）前記第１光電変換部の電荷と前記第２光電変換部の電荷とを加算した電荷に応じた第２信号、および、（ｃ）前記第３光電変換部の電荷と前記第４光電変換部の電荷とを加算した電荷に応じた第３信号を保持し、
前記第１期間の後の第２期間において、（ａ）前記第１信号に応じた信号、（ｂ）前記第２信号に応じた信号、および、（ｃ）前記第３信号に応じた信号を出力し、（ｄ）前記第３光電変換部の電荷に応じた信号および前記第４光電変換部の電荷に応じた信号を出力しない、
ことを特徴とする請求項１に記載の固体撮像装置。
【請求項３】
前記処理部は、
前記第１信号を保持する第１保持部と、
前記第２信号を保持する第２保持部と、
前記第３信号を保持する第３保持部と、
前記第３光電変換部の電荷と前記第４光電変換部の電荷とを加算した電荷に応じた信号を保持する第４保持部と、を含み、
前記第１保持部によって保持された前記第１信号に応じた信号を出力し、前記第２保持部によって保持された前記第２信号に応じた信号を出力し、前記第４保持部によって保持された前記第３信号に応じた信号を出力する、
ことを特徴とする請求項２に記載の固体撮像装置。
【請求項４】
前記受光画素は、第１フローティングディフュージョンと、前記第１光電変換部の電荷を前記第１フローティングディフュージョンに転送する第１転送部と、前記第２光電変換部の電荷を前記第１フローティングディフュージョンに転送する第２転送部と、前記第１フローティングディフュージョンの電位に応じた信号を出力する第１増幅部と、を含み、前記第１増幅部は、前記第２信号の生成のために、前記第１光電変換部の電荷と前記第２光電変換部の電荷とを加算した電荷に応じた信号を出力し、
前記遮光画素は、第２フローティングディフュージョンと、前記第３光電変換部の電荷を前記第２フローティングディフュージョンに転送する第３転送部と、前記第４光電変換部の電荷を前記第２フローティングディフュージョンに転送する第４転送部と、前記第２フローティングディフュージョンの電位に応じた信号を出力する第２増幅部と、を含み、前記第２増幅部は、前記第３信号の生成のために、前記第３光電変換部の電荷と前記第４光電変換部の電荷とを加算した電荷に応じた信号を出力する、
ことを特徴とする請求項３に記載の固体撮像装置。
【請求項５】
前記画素アレイは、前記第１光電変換部および前記第２光電変換部に対して設けられた１つのマイクロレンズを含む、
ことを特徴とする請求項１乃至４のいずれか１項に記載の固体撮像装置。
【請求項６】
請求項１乃至５のいずれか１項に記載の固体撮像装置と、
前記固体撮像装置から出力される信号を処理する信号処理部と、
を備えることを特徴とするカメラ。
【請求項７】
前記信号処理部は、
デフォーカス量を演算するために、前記固体撮像装置から出力された前記第１光電変換部の電荷に応じた信号と、前記固体撮像装置から出力された、前記第１光電変換部の電荷と前記第２光電変換部の電荷とを加算した電荷に応じた信号とに基づいて、前記第２光電変換部の電荷に応じた信号を求め、かつ、
前記固体撮像装置から出力された、前記第３光電変換部の電荷と前記第４光電変換部の電荷とを加算した電荷に応じた信号に基づいて、前記固体撮像装置から出力された、前記第１光電変換部の電荷と前記第２光電変換部の電荷とを加算した電荷に応じた信号を補正する、
ことを特徴とする請求項６に記載のカメラ。
【請求項８】
第１光電変換部および第２光電変換部を有する受光画素と第３光電変換部および第４光電変換部を有する遮光画素とを含む画素アレイと、前記画素アレイからの信号を処理する処理部とを備える固体撮像装置であって、
前記処理部は、
前記第１光電変換部、前記第２光電変換部、前記第３光電変換部および前記第４光電変換部の電荷に応じた信号を出力する信号出力期間において、
（ａ）前記第１光電変換部の電荷に応じた信号、（ｂ）前記第１光電変換部の電荷に応じた信号と前記第２光電変換部の電荷に応じた信号とを加算した信号、および、（ｃ）前記第３光電変換部の電荷に応じた信号と前記第４光電変換部の電荷に応じた信号とを加算した信号を出力し、
（ｄ）前記第３光電変換部の電荷に応じた信号および前記第４光電変換部の電荷に応じた信号を出力しない、
ことを特徴とする固体撮像装置。
【請求項９】
前記処理部は、
第１期間において、（ａ）前記第１光電変換部の電荷に応じた第１信号、（ｂ）前記第１光電変換部の電荷に応じた信号と前記第２光電変換部の電荷に応じた信号とを加算した信号に応じた第２信号、および、（ｃ）前記第３光電変換部の電荷に応じた信号と前記第４光電変換部の電荷に応じた信号とを加算した信号に応じた第３信号を保持し、
前記第１期間の後の第２期間において、（ａ）前記第１信号に応じた信号、（ｂ）前記第２信号に応じた信号、および、（ｃ）前記第３信号に応じた信号を出力し、（ｄ）前記第３光電変換部の電荷に応じた信号および前記第４光電変換部の電荷に応じた信号を出力しない、
ことを特徴とする請求項８に記載の固体撮像装置。
【請求項１０】
前記処理部は、
前記第１信号を保持する第１保持部と、
前記第２信号を保持する第２保持部と、
前記第３信号を保持する第３保持部と、
前記第３光電変換部の電荷に応じた信号と前記第４光電変換部の電荷に応じた信号とを加算した信号を保持する第４保持部と、を含み、
前記第１保持部によって保持された前記第１信号に応じた信号を出力し、前記第２保持部によって保持された前記第２信号に応じた信号を出力し、前記第４保持部によって保持された前記第３信号に応じた信号を出力する、
ことを特徴とする請求項９に記載の固体撮像装置。
【請求項１１】
前記受光画素は、前記第１光電変換部の電荷に応じた信号および前記第２光電変換部の電荷に応じた信号をそれぞれ出力し、
前記処理部は、前記受光画素からの前記第１光電変換部の電荷に応じた信号および前記第２光電変換部の電荷に応じた信号を加算する加算部を更に含む、
ことを特徴とする請求項８ないし１０のいずれか１項に記載の固体撮像装置。
【請求項１２】
前記加算部は、
前記第１光電変換部の信号が出力される列信号線に一端が接続された第１入力キャパシタと、
前記第２光電変換部の信号が出力される列信号線に一端が接続され、前記第１入力キャパシタの他端に他端が接続された第２入力キャパシタと、
前記第１入力キャパシタの他端および前記第２入力キャパシタの他端が第１入力端子に接続され、基準電圧が第２入力端子に供給される演算増幅器と、
前記演算増幅器の前記第１入力端子と出力端子との間に接続された帰還キャパシタと、を含む、
ことを特徴とする請求項１１に記載の固体撮像装置。
【請求項１３】
前記画素アレイは、前記第１光電変換部および前記第２光電変換部に対して設けられた１つのマイクロレンズを含む、
ことを特徴とする請求項８乃至１２のいずれか１項に記載の固体撮像装置。
【請求項１４】
請求項８乃至１３のいずれか１項に記載の固体撮像装置と、
前記固体撮像装置から出力される信号を処理する信号処理部と、
を備えることを特徴とするカメラ。
【請求項１５】
前記信号処理部は、
デフォーカス量を演算するために、前記固体撮像装置から出力された前記第１光電変換部の電荷に応じた信号と、前記固体撮像装置から出力された、前記第１光電変換部の電荷に応じた信号と前記第２光電変換部の電荷に応じた信号とを加算した信号に応じた信号に基づいて、前記第２光電変換部の電荷に応じた信号を求め、かつ、
前記固体撮像装置から出力された、前記第３光電変換部の電荷に応じた信号と前記第４光電変換部の電荷に応じた信号とを加算した信号に応じた信号に基づいて、前記固体撮像装置から出力された、前記第１光電変換部の電荷に応じた信号と前記第２光電変換部の電荷に応じた信号とを加算した信号に応じた信号を補正する、
ことを特徴とする請求項１４に記載のカメラ。
【請求項１６】
前記処理部は、
前記受光画素のノイズレベルに応じた信号をそれぞれ保持する第１ノイズレベル保持部および第２ノイズレベル保持部を更に含み、
前記第１保持部によって保持された信号と前記第１ノイズレベル保持部によって保持された信号との差分に応じた信号を出力し、
前記第２保持部によって保持された信号と前記第２ノイズレベル保持部によって保持された信号との差分に応じた信号を出力する、
ことを特徴とする請求項３または１０に記載の固体撮像装置。
【請求項１７】
前記処理部は、
前記遮光画素のノイズレベルに応じた信号をそれぞれ保持する第３ノイズレベル保持部および第４ノイズレベル保持部を更に含み、
前記第４保持部によって保持された信号と前記第４ノイズレベル保持部によって保持された信号との差分に応じた信号を出力する、
ことを特徴とする請求項３または１０に記載の固体撮像装置。
【手続補正２】
【補正対象書類名】明細書
【補正対象項目名】０００７
【補正方法】変更
【補正の内容】
【０００７】
本発明の１つの側面は、第１光電変換部および第２光電変換部を有する受光画素と第３光電変換部および第４光電変換部を有する遮光画素とを含む画素アレイと、前記画素アレイからの信号を処理する処理部とを備える固体撮像装置に係り、前記処理部は、前記第１光電変換部、前記第２光電変換部、前記第３光電変換部および前記第４光電変換部の電荷に応じた信号を出力する信号出力期間において、（ａ）前記第１光電変換部の電荷に応じた信号、（ｂ）前記第１光電変換部の電荷と前記第２光電変換部の電荷とを加算した電荷に応じた信号、および、（ｃ）前記第３光電変換部の電荷と前記第４光電変換部の電荷とを加算した電荷に応じた信号を出力し、（ｄ）前記第３光電変換部の電荷に応じた信号および前記第４光電変換部の電荷に応じた信号を出力しない。